(57)【要約】      （修正有）【課題】外力に応じた変形を抑制しつつ軽量化を図ることが可能な撮像装置を提供する。【解決手段】撮像装置は、レンズマウント部１５が固定されたマウント固定部材６１と、バッテリホルダユニット６２を含む複数の構成ユニットであってマウント固定部材６１の周囲に設けられる複数の構成ユニット６２，６３，６４，６５が一体的に結合された結合体７０と、結合体７０に固定され結合体７０に一体化するとともに、マウント固定部材６１が固定される前側部材７１とを備える。【選択図】図７
2010243634.tif 000002
【特許請求の範囲】
【請求項１】
レンズマウント部が固定されたマウント固定部材と、
バッテリホルダユニットを含む複数の構成ユニットであって前記マウント固定部材の周囲に設けられる複数の構成ユニットが一体的に結合された結合体と、
前記結合体に固定され前記結合体に一体化するとともに、前記マウント固定部材が固定される前側部材と、
を備える撮像装置。
【請求項２】
請求項１に記載の撮像装置において、
前記複数の構成ユニットのそれぞれは、隣接する各構成ユニットに対して、前記撮像装置の奥行き方向に離間した少なくとも２点で固定されている、撮像装置。
【請求項３】
請求項１に記載の撮像装置において、
前記前側部材は、前記撮像装置の前面側を覆う外装部材である、撮像装置。
【請求項４】
請求項１に記載の撮像装置において、
前記マウント固定部材は撮像素子を保持する、撮像装置。
【請求項５】
請求項４に記載の撮像装置において、
前記マウント固定部材は、前記複数の構成ユニットのうちの特定の構成ユニット以外のの構成ユニットに固定されておらず且つ前記特定の構成ユニットと前記前側部材とに固定されている、撮像装置。
【請求項６】
請求項５に記載の撮像装置において、
前記複数の構成ユニットは、
前記マウント固定部材の底面側に設けられるボトムフレームユニット、
をさらに有し、
前記特定の構成ユニットは、前記ボトムフレームユニットである、撮像装置。
【請求項７】
請求項４に記載の撮像装置において、
前記マウント固定部材は、前記複数の構成ユニットのいずれにも固定されておらず且つ前記前側部材に固定されている、撮像装置。
【請求項８】
請求項１に記載の撮像装置において、
前記マウント固定部材は、撮影光学系からの被写体像の進路を変更する反射部材を保持する、撮像装置。
【請求項９】
請求項１に記載の撮像装置において、
前記複数の構成ユニットのうちの少なくとも１つの構成ユニットの筐体部は樹脂材料で形成される、撮像装置。
【請求項１０】
請求項１に記載の撮像装置において、
前記バッテリホルダユニットは、前記マウント固定部材の一の側方に設けられ、
前記複数の構成ユニットは、
前記マウント固定部材の他の側方に設けられるサイドフレームユニットと、
前記マウント固定部材の上方に設けられる上部ユニットと、
前記マウント固定部材の下方に設けられる下部ユニットと、
をさらに含み、
前記バッテリホルダユニットと前記上部ユニットとが固定され且つ前記サイドフレームユニットと前記上部ユニットとが固定されるとともに、前記バッテリホルダユニットと前記下部ユニットとが固定され且つ前記サイドフレームユニットと前記下部ユニットとが固定されることによって、前記結合体が形成される、撮像装置。
【発明の詳細な説明】
【技術分野】
【０００１】
本発明は、デジタルカメラなどの撮像装置に関する。
【背景技術】
【０００２】
撮像装置は、外力、例えば撮影レンズに加わる外力、に応じた変形を抑制することが求められる。特に、レンズ交換式カメラにおいては、撮影レンズからレンズマウント部を介して撮像装置本体に伝達される外力に対する変形を抑制することが求められる。そのため、撮像装置においては、メインシャーシを金属板で形成することなどによって、強度が確保されている。
【０００３】
例えば、特許文献１には、レンズマウント部が設けられた連結ボックスと、撮像素子ユニットと、連結ボックスと撮像素子ユニットとの間に配置されるメインシャーシとを備える撮像装置が記載されている。メインシャーシは、撮像装置本体の幅方向および高さ方向において比較的大きな面積にわたって延設されている。そして、この特許文献１に記載の技術においては、強度を確保するため、メインシャーシが金属板で形成されている。
【先行技術文献】
【特許文献】
【０００４】
【特許文献１】特開２００４−１０４１６８号公報
【発明の概要】
【発明が解決しようとする課題】
【０００５】
しかしながら、強度を確保するために、撮像装置本体の幅方向および高さ方向に延設され広い面積を有するメインシャーシを金属板で形成すると、当該メインシャーシの重量ひいては撮像装置の重量が大きくなるという問題がある。
【０００６】
そこで、この発明の課題は、外力に応じた変形を抑制しつつ軽量化を図ることが可能な撮像装置を提供することにある。
【課題を解決するための手段】
【０００７】
本発明は、撮像装置であって、レンズマウント部が固定されたマウント固定部材と、バッテリホルダユニットを含む複数の構成ユニットであって前記マウント固定部材の周囲に設けられる複数の構成ユニットが一体的に結合された結合体と、前記結合体に固定され前記結合体に一体化するとともに、前記マウント固定部材が固定される前側部材と、を備える。
【発明の効果】
【０００８】
本発明によれば、外力に応じた変形を抑制しつつ軽量化を図ることが可能である。
【図面の簡単な説明】
【０００９】
【図１】撮像装置の正面図である。
【図２】撮像装置の上面図である。
【図３】撮像装置の側面図である。
【図４】撮像装置の側面図である。
【図５】撮像装置の背面図である。
【図６】撮像装置の分解斜視図である。
【図７】撮像装置の分解斜視図である。
【図８】撮像装置の分解斜視図である。
【図９】フロントカバー部材の正面図である。
【図１０】撮像装置の内部構造を示す概念図である。
【図１１】第１の比較例に係る撮像装置を示す図である。
【図１２】第２の比較例に係る撮像装置を示す図である。
【発明を実施するための形態】
【００１０】
以下、発明を実施するための形態（実施形態とも称する）について説明する。なお、説明は、以下の順序、すなわち、
１．構成概要、
２．詳細構成、
３．変形例等
の順序で行う。
【００１１】
＜１．構成概要＞
図１は、この実施形態に係る撮像装置１の正面図であり、図２は、撮像装置１の上面図である。図３および図４は、撮像装置１の側面図であり、図５は撮像装置１の背面図である。図６〜図８は、撮像装置１の分解斜視図である。また、図７および図８においては、撮像装置１のうちの一部の構成部品に関する接続関係が特に示されている。なお、各図においては、共通のＸＹＺ直交座標系を用いて、方向等を示している。
【００１２】
この撮像装置１は、レンズ交換式一眼レフレックスタイプのデジタルカメラとして構成されている。
【００１３】
図１に示すように、撮像装置１は、カメラ本体部（装置本体部）２を備えている。このカメラ本体部２に対して、交換式（着脱式）の撮影レンズユニット（交換レンズ）３（図２参照）が装着可能である。撮影レンズユニット３は、主として、鏡胴ならびに当該鏡胴の内部に設けられるレンズ群及び絞り等によって構成される。
【００１４】
カメラ本体部２は、撮影レンズユニット３が装着される円環状のレンズマウント部１５（図１）を正面略中央に備え、撮影レンズユニット３を着脱するための着脱ボタン１６を円環状のレンズマウント部１５付近に備えている。なお、各図では、撮影レンズユニット３が離脱された状態が示されているが、撮影動作は、撮影レンズユニット３が装着された状態で実行される。
【００１５】
また、撮像装置１の上部側には、撮影用の補助光を発光するフラッシュ（ストロボとも称する）４１（図６参照）が設けられている。フラッシュ４１は、被写体の輝度不足時等に利用される光源である。当該フラッシュ４１は、後述するストロボカバー部材７７（図６）に固定されて配置されている。
【００１６】
また、撮像装置１の上部において撮像装置１の正面から見て左側（背面側から見て右側）には、レリーズボタン１１が設けられている。
【００１７】
レリーズボタン１１は、半押し状態（Ｓ１状態）と全押し状態（Ｓ２状態）との２つの状態を検出可能な２段階検出ボタンである。レリーズボタン１１が半押しされＳ１状態になると、撮像装置１は、撮影準備指令が付与されたものとみなして、被写体に関する記録用静止画像（本撮影画像）を取得するための撮影準備動作（例えば、ＡＦ制御動作等）を実行する。また、レリーズボタン１１がさらに押し込まれてＳ２状態になると、撮像装置１は、撮影指令が付与されたものとみなして、当該本撮影画像の撮影動作を実行する。
【００１８】
また、撮像装置１の正面から見て左側（背面側から見て右側）の第１グリップカバー部材７２（図１）の背面側の装置内部には、バッテリホルダユニット６２（図６）が設けられており、当該バッテリホルダユニット６２内には電池収納室が設けられている。当該電池収納室にはカメラの電源として、例えばリチウムイオン電池などの電池が着脱自在に収納される。
【００１９】
また、撮像装置１の正面から見て右側（背面側から見て左側）の第２グリップカバー部材７３（図１および図６参照）の背面側内部には、サイドフレームユニット６４が設けられており、当該サイドフレームユニット６４内にはカード収納室が設けられている。当該カード収容室には、撮影画像の画像データを記録するためのメモリカードが着脱自在に収納される。
【００２０】
また、撮像装置１の背面側には、背面モニタ１２（図５参照）が設けられる。背面モニタ１２は、例えばカラー液晶ディスプレイ（ＬＣＤ）として構成される。背面モニタ１２は、撮影条件等を設定するためのメニュー画面を表示すること、および再生モードにおいてメモリカードに記録された撮影画像を再生表示することなどが可能である。
【００２１】
＜２．詳細構成＞
図６に示すように、撮像装置１は、略中央部分にミラーボックスユニット６１を備えている。ミラーボックスユニット６１は、中空状の略直方体形状を有している。
【００２２】
ミラーボックスユニット６１の内部空間の背面側においては、撮像素子５（図１０参照）が固定されて保持されている。撮像素子（例えばＣＭＯＳセンサ）５は、撮影レンズユニット３からの被写体の光像（被写体像）を光電変換作用により電気的信号に変換する受光素子であり、本撮影画像に係る画像信号（記録用の画像信号）を生成して取得する。
【００２３】
また、当該ミラーボックスユニット６１の内部空間の略中央部分においては、ミラー機構６が設けられる。当該ミラー機構６は、昇降自在な主ミラー６ａ（反射部材）等を有する。主ミラー６ａの下降状態においては、主ミラー６ａは、撮影レンズユニット３（撮影光学系）からの光（被写体像）の進路を上方に変更する。当該反射光は、ペンタミラー６８（図６）およびファインダ窓１０（図５）等を経由して、撮影者の眼に到達する。これにより、撮影者は、光学ファインダにおいて、被写体像を観察することができる。一方、主ミラー６ａの上昇状態においては、撮影レンズユニット３（撮影光学系）からの光（被写体像）が主ミラー６ａに遮られることなく撮像素子５に到達し、撮像素子５により撮影画像が生成される。
【００２４】
さらに、ミラーボックスユニット６１の内部空間の前面側にはレンズマウント部１５が固定されている。レンズマウント部１５は、着脱式の撮影レンズユニット３が装着される装着部である。なお、ミラーボックスユニット６１は、レンズマウント部１５を固定するマウント固定部材であるとも表現される。
【００２５】
また、カメラ本体部２は、ミラーボックスユニット６１の周囲に（詳細には、撮影レンズユニット３の光軸を中心とする周辺部分に）、複数の構成ユニットを備えている。詳細には、ミラーボックスユニット６１の正面から見て左側方にはバッテリホルダユニット６２が配置されており、ミラーボックスユニット６１の正面から見て右側方にはサイドフレームユニット６４が配置されている。また、ミラーボックスユニット６１の上方にはストロボベースユニット６３が配置されており、ミラーボックスユニット６１の下方（底面側）にはボトムフレームユニット６５が配置されている。なお、ストロボベースユニット６３は上部ユニットとも称され、ボトムフレームユニット６５は下部ユニットとも称される。また、バッテリホルダユニット６２およびサイドフレームユニット６４は、サイドユニットとも称される。
【００２６】
これらの構成ユニットのうち、ボトムフレームユニット６５以外の３つの構成ユニット（すなわちバッテリホルダユニット６２、ストロボベースユニット６３およびサイドフレームユニット６４）は、それぞれ、樹脂材料で形成された筐体部を有している。筐体部を、（金属材料ではなく）樹脂材料で形成することにより、一層の軽量化を図ることが可能である。なお、ここでは、ボトムフレームユニット６５は、薄板形状を有するとともに、金属で形成されている。これによれば、撮像装置１の高さを抑制するとともに、撮像装置１がその底面部で三脚に固定される際の強度をも確実に確保することが可能である。ただし、これに限定されず、ボトムフレームユニット６５をも樹脂材料で形成するようにしてもよい。
【００２７】
図７は、これらの複数の構成ユニット６２，６３，６４，６５の関係を示す図である。図７に示すように、これらの複数の構成ユニット、具体的には、バッテリホルダユニット６２とストロボベースユニット６３とサイドフレームユニット６４とボトムフレームユニット６５とは、ネジ締結等によって一体的に結合されている。これらの複数の構成ユニット６２，６３，６４，６５は、組み立て状態において一体化され結合体７０を構成する。また、複数の構成ユニット６２，６３，６４，６５のそれぞれは、隣接する各ユニットに対して、撮像装置１の奥行き方向に離間した２つ以上の点（ここでは２点）で固定されている。
【００２８】
具体的には、ストロボベースユニット６３とバッテリホルダユニット６２とは、２つのネジ８１ａ，８１ｂによって２点（２箇所）で固定されている。２つのネジ８１ａ，８１ｂは、ストロボベースユニット６３の左肩部６３Ｌに設けられた貫通孔６３ａ，６３ｂをそれぞれ貫通し、バッテリホルダユニット６２の上面に設けられたネジ穴６２ａ，６２ｂにそれぞれ螺合する。貫通孔６３ａ，６３ｂとネジ穴６２ａ，６２ｂとは、それぞれ、撮像装置１の奥行き方向（Ｚ方向）において、所定間隔を空けて設けられている。そして、Ｚ方向に離間した２つのネジ８１ａ，８１ｂを用いて、ストロボベースユニット６３とバッテリホルダユニット６２とが固定されている。したがって、ネジ締結部付近での外力に応じてＸ軸に平行な軸周りに作用するモーメント（以下、モーメントＭｘとも称する）に起因する変形が生じにくい。また、ネジ締結部付近での外力に応じてＹ軸に平行な軸周りに作用するモーメント（以下、モーメントＭｙとも称する）に起因する変形も生じにくい。さらに、ネジ８１ａ，８１ｂを用いたネジ締結により、ストロボベースユニット６３の左肩部６３Ｌの下面とバッテリホルダユニット６２の上面とが、当該ネジ締結部分を中心に、面接触して結合されている。そのため、ネジ締結部付近での外力に応じてＺ軸に平行な軸周りに作用するモーメント（以下、モーメントＭｚとも称する）に起因する変形も生じにくい。このような構成により、ストロボベースユニット６３はバッテリホルダユニット６２によって安定的に保持される。
【００２９】
同様に、ストロボベースユニット６３とサイドフレームユニット６４とは、２つのネジ８１ｃ，８１ｄによって２点（２箇所）で固定されている。２つのネジ８１ｃ，８１ｄは、ストロボベースユニット６３の右肩部６３Ｒに設けられた貫通孔６３ｃ，６３ｄをそれぞれ貫通し、サイドフレームユニット６４の上面に設けられたネジ穴６４ａ，６４ｂにそれぞれ螺合する。貫通孔６３ｃ，６３ｄとネジ穴６４ａ，６４ｂとは、それぞれ、撮像装置１の奥行き方向（Ｚ方向）において、所定間隔を空けて設けられている。そして、Ｚ方向に離間した２つのネジ８１ｃ，８１ｄを用いて、ストロボベースユニット６３とサイドフレームユニット６４とが固定されている。したがって、モーメントＭｘに起因する変形、およびモーメントＭｙに起因する変形が、生じにくい。また、ネジ８１ｃ，８１ｄを用いたネジ締結により、ストロボベースユニット６３の右肩部６３Ｒの下面とサイドフレームユニット６４の上面とが、当該ネジ締結部分を中心に、面接触して結合されている。そのため、モーメントＭｚに起因する変形も生じにくい。このような構成により、ストロボベースユニット６３はサイドフレームユニット６４によって安定的に保持される。
【００３０】
また、ボトムフレームユニット６５とバッテリホルダユニット６２とは、２つのネジ８２ａ，８２ｂによって２点（２箇所）で固定されている。２つのネジ８２ａ，８２ｂは、ボトムフレームユニット６５の正面視左側に設けられた貫通孔６５ａ，６５ｂをそれぞれ貫通し、バッテリホルダユニット６２の底面に設けられたネジ穴６２ｃ，６２ｄにそれぞれ螺合する。貫通孔６５ａ，６５ｂとネジ穴６２ｃ，６２ｄとは、それぞれ、撮像装置１の奥行き方向（Ｚ方向）において、所定間隔を空けて設けられている。そして、Ｚ方向に離間した２つのネジ８２ａ，８２ｂを用いて、ボトムフレームユニット６５とバッテリホルダユニット６２とが固定されている。したがって、モーメントＭｘに起因する変形、およびモーメントＭｙに起因する変形が、生じにくい。また、ネジ８２ａ，８２ｂを用いたネジ締結により、ボトムフレームユニット６５の正面視左側の上面とバッテリホルダユニット６２の下面とが、当該ネジ締結部分を中心に、面接触して結合されている。そのため、モーメントＭｚに起因する変形も生じにくい。このような構成により、ボトムフレームユニット６５はバッテリホルダユニット６２を安定的に保持する。
【００３１】
さらに、ボトムフレームユニット６５とサイドフレームユニット６４とは、２つのネジ８２ｃ，８２ｄによって２点（２箇所）で固定されている。２つのネジ８２ｃ，８２ｄは、ボトムフレームユニット６５の正面視右側に設けられた貫通孔６５ｃ，６５ｄをそれぞれ貫通し、サイドフレームユニット６４の底面に設けられたネジ穴６４ｃ，６４ｄにそれぞれ螺合する。貫通孔６５ｃ，６５ｄとネジ穴６４ｃ，６４ｄとは、それぞれ、撮像装置１の奥行き方向（Ｚ方向）において、所定間隔を空けて設けられている。そして、Ｚ方向に離間した２つのネジ８２ｃ，８２ｄを用いて、ボトムフレームユニット６５とサイドフレームユニット６４とが固定されている。したがって、モーメントＭｘに起因する変形、およびモーメントＭｙに起因する変形が、生じにくい。また、ネジ８２ｃ，８２ｄを用いたネジ締結により、ボトムフレームユニット６５の正面視右側の上面とサイドフレームユニット６４の下面とが、当該ネジ締結部分を中心に、面接触して結合されている。そのため、モーメントＭｚに起因する変形も生じにくい。このような構成により、ボトムフレームユニット６５はサイドフレームユニット６４を安定的に保持する。
【００３２】
このように、複数の構成ユニット６２〜６５は、隣接する構成ユニット同士がネジ締結で固定されることによって一体化された１つの結合体７０として設けられる。詳細には、複数の構成ユニット６２，６３，６４，６５のそれぞれは、隣接する各ユニットに対して、撮像装置１の奥行き方向に離間した２点で固定されている。そのため、結合体７０は、特に、モーメントＭｘに起因する変形、およびモーメントＭｙに起因する変形を生じにくい。
【００３３】
さらに、カメラ本体部２は、フロントカバー部材７１（前側部材とも称される）を備えている（図９も参照）。フロントカバー部材７１は、撮像装置１の前面側を覆う外装部材である。なお、図９は、フロントカバー部材７１の正面図である。
【００３４】
図８に示すように、フロントカバー部材７１は、結合体７０に対してネジ締結等によって固定されており、結合体７０と結合されて一体化されている。具体的には、フロントカバー部材７１は、２つのネジ８３ａ，８３ｂによってバッテリホルダユニット６２の前面に固定されており、２つのネジ８３ｃ，８３ｄによってサイドフレームユニット６４の前面に固定されている。
【００３５】
より詳細には、２つのネジ８３ａ，８３ｂは、フロントカバー部材７１の正面視左側に設けられた貫通孔７１ａ，７１ｂ（図９も参照）をそれぞれ貫通し、バッテリホルダユニット６２の前面に設けられたネジ穴６２ｅ，６２ｆにそれぞれ螺合する。貫通孔７１ａ，７１ｂとネジ穴６２ｅ，６２ｆとは、それぞれ、撮像装置１の高さ方向（Ｙ方向）において、所定間隔を空けて設けられている。そして、Ｙ方向に離間した２つのネジ８３ａ，８３ｂを用いて、フロントカバー部材７１とバッテリホルダユニット６２とが固定されている。したがって、モーメントＭｘに起因する変形、およびモーメントＭｚに起因する変形が、生じにくい。また、ネジ８３ａ，８３ｂを用いたネジ締結により、フロントカバー部材７１の正面視左側の背面とバッテリホルダユニット６２の前面とが、当該ネジ締結部分を中心に、面接触して結合されている。そのため、モーメントＭｙに起因する変形も生じにくい。このような構成により、フロントカバー部材７１はバッテリホルダユニット６２によって安定的に保持される。
【００３６】
同様に、２つのネジ８３ｃ，８３ｄは、フロントカバー部材７１の正面視右側に設けられた貫通孔７１ｃ，７１ｄをそれぞれ貫通し、サイドフレームユニット６４の前面に設けられたネジ穴６４ｅ，６４ｆにそれぞれ螺合する。貫通孔７１ｃ，７１ｄとネジ穴６４ｅ，６４ｆとは、それぞれ、撮像装置１の高さ方向（Ｙ方向）において、所定間隔を空けて設けられている。そして、Ｙ方向に離間した２つのネジ８３ｃ，８３ｄを用いて、フロントカバー部材７１とサイドフレームユニット６４とが固定されている。したがって、モーメントＭｘに起因する変形、およびモーメントＭｚに起因する変形が、生じにくい。また、ネジ８３ｃ，８３ｄを用いたネジ締結により、フロントカバー部材７１の正面視右側の背面とサイドフレームユニット６４の前面とが、当該ネジ締結部分を中心に、面接触して結合されている。そのため、モーメントＭｙに起因する変形も生じにくい。このような構成により、フロントカバー部材７１はサイドフレームユニット６４によって安定的に保持される。
【００３７】
また、Ｘ方向に離間した２つのネジ８３ａ，８３ｃを用いて、フロントカバー部材７１と結合体７０とが固定されている。同様に、Ｘ方向に離間した２つのネジ８３ｂ，８３ｄを用いて、フロントカバー部材７１と結合体７０とが固定されている。したがって、モーメントＭｚに起因する変形に加えて、モーメントＭｙに起因する変形も、生じにくい。
【００３８】
さらに、３つのネジ８３ａ，８３ｂ，８３ｄを用いることによって、バッテリホルダユニット６２の２点とサイドフレームユニット６４の１点とが、フロントカバー部材７１に対して固定されている。換言すれば、フロントカバー部材７１が結合体７０の３点に対して固定されている。したがって、フロントカバー部材７１に対する結合体７０の当該３点の移動が抑止される。同様に、３つのネジ８３ａ，８３ｃ，８３ｄを用いることによって、バッテリホルダユニット６２の１点とサイドフレームユニット６４の２点とが、フロントカバー部材７１に対して固定されている。したがって、フロントカバー部材７１に対する結合体７０の当該３点の移動も抑止される。この結果、４つのネジ８３ａ，８３ｂ，８３ｃ，８３ｄを用いることによって、バッテリホルダユニット６２の２点とサイドフレームユニット６４の２点とが、フロントカバー部材７１に対して固定されている。このように、フロントカバー部材７１を結合体７０に固定することによって、結合体７０の強度がさらに向上する。特に、モーメントＭｚに起因する変形も生じにくい。
【００３９】
このように、フロントカバー部材７１は、結合体７０（詳細には、バッテリホルダユニット６２およびサイドフレームユニット６４等）に固定され当該結合体７０と一体化している。
【００４０】
さらに、４つのネジ８５ａ，８５ｂ，８６ａ，８６ｂによって、ミラーボックスユニット６１がフロントカバー部材７１に対して固定されている。
【００４１】
具体的には、２つのネジ８５ａ，８５ｂによって、フロントカバー部材７１とミラーボックスユニット６１の前面とが固定されている。２つのネジ８５ａ，８５ｂは、フロントカバー部材７１の円状中空部Ｈ１（図９も参照）の上側に設けられた貫通孔７１ｅ，７１ｆをそれぞれ貫通し、ミラーボックスユニット６１の前面に設けられたネジ穴６１ａ，６１ｂにそれぞれ螺合する。
【００４２】
また、２つのネジ８６ａ，８６ｂによって、フロントカバー部材７１の底面部分において背面側に突出する薄板状の底面部７１Ｍの上面とミラーボックスユニット６１の下面とが固定されている。具体的には、２つのネジ８６ａ，８６ｂは、フロントカバー部材７１の底面部７１Ｍに設けられた貫通孔７１ｇ，７１ｈをそれぞれ貫通し、ミラーボックスユニット６１の下面に設けられたネジ穴６１ｃ，６１ｄにそれぞれ螺合する。
【００４３】
なお、より詳細には、フロントカバー部材７１の底面部７１Ｍの上面とミラーボックスユニット６１の下面とは、ボトムフレームユニット６５を挟んだ状態で固定されている。具体的には、２つのネジ８６ａ，８６ｂは、貫通孔７１ｇ，７１ｈをそれぞれ貫通するとともに、ボトムフレームユニット６５の前側（正面視手前側）に設けられた貫通孔６５ｅ，６５ｆをもそれぞれ貫通する。すなわち、ネジ８６ａは、貫通孔７１ｇ，６５ｅを貫通し、ネジ穴６１ｃに螺合する。同様に、ネジ８６ｂは、貫通孔７１ｈ，６５ｆを貫通し、ネジ穴６１ｄに螺合する。
【００４４】
このように、フロントカバー部材７１には、ミラーボックスユニット６１が固定されている。したがって、ミラーボックスユニット６１は、フロントカバー部材７１を介して、結合体７０に結合されている。
【００４５】
また、図６にも示すように、カメラ本体部２は、撮像装置１の結合体７０を覆う他の外装部材をさらに備えている。具体的には、カメラ本体部２は、第１グリップカバー部材７２と第２グリップカバー部材７３と第１ショルダカバー部材７４と第２ショルダカバー部材７５とメディアカバー部材７６とストロボカバー部材７７とリアカバー部材７８とをさらに備えている。これらのカバー部材７２〜７８は、結合体７０に対してネジ締結等によって固定されている。
【００４６】
第１グリップカバー部材７２は、撮像装置１の正面から見て左側（背面から見て右側）に設けられるカバー部材であり、主にバッテリホルダユニット６２の前面側を覆う。第２グリップカバー部材７３は、撮像装置１の正面から見て右側（背面から見て左側）に設けられるカバー部材であり、主にサイドフレームユニット６４の前面側を覆う。また、第１ショルダカバー部材７４は、撮像装置１の正面から見て左側の上部に設けられるカバー部材であり、主にバッテリホルダユニット６２の上面側を覆う。第２ショルダカバー部材７５は、撮像装置１の正面から見て右側の上部に設けられるカバー部材であり、主にサイドフレームユニット６４の上面側を覆う。また、メディアカバー部材７６は、撮像装置１の正面から見て右側に設けられるカバー部材であり、サイドフレームユニット６４の側面（特にメモリカードの挿入部付近）を覆う。さらに、ストロボカバー部材７７は、ストロボベースユニット６３の上部側に設けられる。ストロボカバー部材７７は、ストロボベースユニット６３に対してポップアップ可能に設けられる。リアカバー部材７８は、撮像装置１の背面側に設けられるカバー部材であり、主に結合体７０の背面側を覆う。これらのカバー部材は、ネジ締結等によって結合体７０に固定される。
【００４７】
本実施形態に係る撮像装置１は、上記のような構成を備えることによって、外力に応じた変形を抑制しつつ軽量化を図ることが可能である。以下、このことについて、各比較例等（次述）を参照しながら説明する（図１０〜図１２参照）。なお、図１０は、本実施形態に係る撮像装置１の内部構成を示す概念図であり、図１１および図１２は各比較例に係る撮像装置１００Ｚ，１００Ｙの内部構成を示す概念図である。図１０〜図１２は、各装置を上側から見た図である。また、図１０〜図１２においては、レンズマウント部１５以外の主な金属部品に斜線を付して示している。
【００４８】
図１１は、第１の比較例に係る撮像装置１００Ｚを示す概念図である。図１１に示すように、第１の比較例に係る撮像装置１００Ｚは、レンズマウント部１５および撮像素子５を包囲する部品６１Ｚ等を金属材料で形成することによって、撮像装置１００Ｚの強度、特にレンズマウント部１５付近の強度を確保している。換言すれば、レンズマウント部１５付近での外力に応じて作用するモーメントＭｘ，Ｍｙ，Ｍｚ等に起因する変形が抑制されている。なお、撮像装置１００Ｚにおいては、バッテリホルダユニット６２Ｚおよびサイドフレームユニット６４Ｚは、部品６１Ｚに固定されている。
【００４９】
しかしながら、このような第１の比較例においては、レンズマウント部１５から撮像素子５に至る大きな部品６１Ｚが金属材料で形成されるため、装置の重量が増大するという問題が存在する。
【００５０】
また、図１２は、第２の比較例に係る撮像装置１００Ｙを示す図である。図１２に示すように、第２の比較例に係る撮像装置１００Ｙは、外装部品２Ｙを金属材料で形成することによって、撮像装置１００Ｙの強度、特にレンズマウント部１５付近の強度を確保している。なお、この撮像装置１００Ｙは、フローティング構造（後述）を有している。詳細には、ミラーボックスユニット６１Ｙは、外装部品２Ｙに固定されているが、バッテリホルダユニット６２Ｙおよびサイドフレームユニット６４Ｙ等には固定されていない。
【００５１】
しかしながら、このような第２の比較例においても、撮像装置１００Ｙの全高および全幅にわたる比較的大きな金属部品（２Ｙ）を用いるため、重量が増大するという問題が存在する。
【００５２】
また、上述の特許文献１に記載の従来技術においても、強度確保のための金属部品（メインシャーシ）が撮像装置の略全幅にわたって配置されている。そのため、重量が増大するという問題が存在する。
【００５３】
一方、上記実施形態によれば、このような比較的大きな金属部品（例えば撮像装置の略全幅にわたるような金属板）を配置することを要しない。換言すれば、金属材料による補強を最小限に止めることができる。そのため、所望の強度を確保しつつ撮像装置の重量を低減することが可能である。
【００５４】
具体的には、図７および図１０等に示すように、上記実施形態においては、複数の構成ユニット６２，６３，６４，６５が結合され一体化されて結合体７０が形成されている。ここで、バッテリホルダユニット６２等は撮像装置１の奥行き方向（Ｚ方向）にも比較的大きな厚さを有している。そして、このようなバッテリホルダユニット６２を含む複数の構成ユニットが一体化されて結合体７０が形成される。これによれば、所望の強度を確保した結合体７０を形成することが可能である。
【００５５】
また、図８および図１０等に示すように、このような結合体７０にフロントカバー部材７１が固定される。このような構成によれば、結合体７０自体の強度を増大させるとともに、当該結合体７０とフロントカバー部材７１との結合体の強度を確保することができる。
【００５６】
そして、フロントカバー部材７１にミラーボックスユニット６１が固定される。換言すれば、結合体７０に固定されたフロントカバー部材７１に対して、レンズマウント部１５を有するミラーボックスユニット６１が固定される。
【００５７】
したがって、ミラーボックスユニット６１は、フロントカバー部材７１を介して、所望の強度を確保した結合体７０に結合されるので、ミラーボックスユニット６１に外力が加わったときにも、撮像装置１内の変形を抑制することが可能である。
【００５８】
特に、結合体７０を構成する複数のユニット６２，６３，６４は、それぞれ、奥行き方向に所定の厚さを有するため、金属材料を用いなくても、容易に所望の強度を確保することが可能である。より詳細には、複数の構成ユニット６２，６３，６４，６５のそれぞれは、隣接する各構成ユニットに対して、撮像装置１の奥行き方向（Ｚ方向）に離間した２点で固定されているため、モーメントＭｘ，Ｍｙに起因する変形が良好に抑制される。
【００５９】
さらに、結合体７０とフロントカバー部材７１とが一体的に構成されているため、撮像装置１は更に大きな強度を有する。例えば、レンズマウント部１５付近においてモーメントＭｚ（例えば撮影レンズユニット３の光軸周りの捻りモーメント）が作用する場合において、当該モーメントＭｚに起因する変形も抑制され得る。したがって、撮像装置１内の変形をさらに確実に防止することが可能である。
【００６０】
また、結合体７０は、バッテリホルダユニット６２等の構成要素を用いて形成されており、上記のような金属部品を別途に設けることを要しない。例えば、本実施形態に係る撮像装置１によれば、第２の比較例に係る撮像装置１００Ｙの略全幅にわたって設けられていた金属部品（すなわち強度確保のための金属部品）２Ｙを配置することを要さない。換言すれば、上記のような金属部品（強度確保のために撮像装置の略全幅にわたって延設される金属部品）を撮像装置内に配置せずに済む。同様に、第１の比較例に係る撮像装置に設けられていた金属部品６１Ｚを撮像装置内に配置することを要さず、特許文献１に記載の撮像装置に設けられていた金属部品を撮像装置内に配置することも要しない。したがって、撮像装置の軽量化を図ることが可能である。
【００６１】
特に、上記結合体７０を構成する複数の構成ユニットのうちの大部分は樹脂材料で形成されている。具体的には、上記結合体７０を構成する４つの構成ユニットのうちの過半数（より具体的には、３／４）の構成ユニットの筐体部は樹脂材料で形成されている。詳細には、バッテリホルダユニット６２、ストロボベースユニット６３およびサイドフレームユニット６４の３つの構成要素の筐体部は樹脂材料で形成されている。したがって、撮像装置１の重量を非常に低減することができる。また、上記比較例等に係る金属部品を比較的軽量なマグネシウム合金等で形成する場合に比べて、コストを低減することも可能である。なお、ここでは、上記結合体７０を構成する４つの構成ユニット６２，６３，６４，６５のうちボトムフレームユニット６５以外の３つの構成ユニット６２，６３，６４の筐体部が樹脂で形成されている場合を例示しているが、これに限定されない。具体的には、結合体７０を構成する４つの構成ユニット６２，６３，６４，６５のうち少なくとも１つ（例えば１つ）の構成ユニットの筐体部が樹脂で形成され、残余の構成ユニットの筐体部が別の材料（マグネシウム合金等）で形成されるようにしてもよい。
【００６２】
また、上記実施形態においては、撮像素子５がミラーボックスユニット６１に配置されており、ミラーボックスユニット６１と撮像素子５とは一体的に移動することが可能であり、撮像素子５のレンズマウント面に対する相対的な移動を防止できる。したがって、レンズマウントから（撮像素子５の）撮像面までの距離（「フランジバック」とも称する）を容易且つ確実に一定値に維持することが可能である。すなわち、フランジバックの変動に伴う合焦異常等を防止できる。
【００６３】
また、上記実施形態においては、ミラーボックスユニット６１は、主にフロントカバー部材７１に固定されている（図８および図１０参照）。その一方で、ミラーボックスユニット６１は、バッテリホルダユニット６２、ストロボベースユニット６３およびサイドフレームユニット６４に対して直接的には固定されていない。すなわち、ミラーボックスユニット６１は、その左右両側および上側において、各構成ユニット６２，６４，６３に固定されていない。端的に言えば、ミラーボックスユニット６１は、これらの複数の構成ユニットから「浮いた」構造（フローティング構造とも称する）を有している。そのため、バッテリホルダユニット６２等へ外力が加わるときにおいても、ミラーボックスユニット６１への外力の伝搬を最小限に止め、ミラーボックスユニット６１自体の変形を最小限に止めることができる。したがって、特にフランジバックを容易且つ確実に一定値に維持することが可能である。
【００６４】
なお、上記実施形態においては、ミラーボックスユニット６１は、４つの構成ユニット６２，６３，６４，６５のうち特定の構成ユニット（具体的にはボトムフレームユニット６５）にも固定されている場合を例示したが、これに限定されない。例えば、ミラーボックスユニット６１は、ボトムフレームユニット６５に直接的に固定されることなく、フロントカバー部材７１にのみ直接的に固定されるようにしてもよい。すなわち、ミラーボックスユニット６１をフロントカバー部材７１に固定し且つ当該ミラーボックスユニット６１を４つの構成ユニット６１，６２，６３，６４のいずれにも直接的に固定しない構造（完全なフローティング構造とも称する）が採用されてもよい。
【００６５】
＜３．変形例等＞
以上、この発明の実施の形態について説明したが、この発明は上記説明した内容のものに限定されるものではない。
【００６６】
たとえば、上記実施形態においては、撮像素子５はミラーボックスユニット６１の内部空間背面側に直接的に固定されている場合を例示したが、これに限定されない。具体的には、撮像素子５が手ぶれ補正ユニットを介してミラーボックスユニット６１の内部空間背面側に配置されるようにしてもよい。当該手ぶれ補正ユニットとしては、例えば、角速度センサによって検出された手ぶれを打ち消すように、光軸に垂直な平面内の異なる２方向（例えばＸ方向およびＹ方向）において撮像素子５を微小変位させるものが採用されればよい。このような態様においても、レンズマウント面から撮像素子５の撮像面までの距離（フランジバック）を確実かつ容易に一定に維持することが可能である。
【００６７】
また、上記実施形態においては、第１グリップカバー部材７２と第２グリップカバー部材７３とのそれぞれが、フロントカバー部材７１とは別体として構成される場合を例示したが、これに限定されない。例えば、上記実施形態におけるフロントカバー部材７１に対応する部分のみならず、第１グリップカバー部材７２と第２グリップカバー部材７３とに対応する部分をも覆うカバー部材を、フロントカバー部材として設けるようにしてもよい。
【００６８】
同様に、上記実施形態においては、第１ショルダカバー部材７４と第２ショルダカバー部材７５とのそれぞれが、ストロボベースユニット６３とは別体として構成される場合を例示したが、これに限定されない。例えば、第１ショルダカバー部材７４と第２ショルダカバー部材７５とストロボベースユニット６３との全てに対応する部分が一体成型された上部ユニットを設けるようにしてもよい。
【符号の説明】
【００６９】
１  撮像装置
２  カメラ本体部
３  撮影レンズユニット
５  撮像素子
６  ミラー機構
６１  ミラーボックスユニット
６２  バッテリホルダユニット
６３  ストロボベースユニット
６４  サイドフレームユニット
６５  ボトムフレームユニット
７０  結合体
７１  フロントカバー部材
【図１】
2010243634.tif 000003
【図２】
2010243634.tif 000004
【図３】
2010243634.tif 000005
【図４】
2010243634.tif 000006
【図５】
2010243634.tif 000007
【図６】
2010243634.tif 000008
【図７】
2010243634.tif 000009
【図８】
2010243634.tif 000010
【図９】
2010243634.tif 000011
【図１０】
2010243634.tif 000012
【図１１】
2010243634.tif 000013
【図１２】
2010243634.tif 000014